(57)【要約】【課題】下降させたナイトカバーの下端を自動的に定位置まで誘導することにより、その係止作業を省略し、省力化が図れるようにしたオープンショーケースを提供する。【解決手段】ショーケース本体における下側の前上部に形成された冷気吸込口１２の上方に、ナイトカバーの下端のウエイトバー１５の少なくとも左右２箇所の下面が当接することにより、該ウエイトバー１５を冷気吸込口１２の前端部上方まで誘導する前下方に傾斜するガイド部材２０を設ける。【選択図】  図２
2009195281.tif 000002
【特許請求の範囲】
【請求項１】
ショーケース本体内部の前方に開放された冷蔵室の前面に、上方から下方に向かう冷気のエアーカーテンを形成することで前記冷蔵室を保冷するとともに、このエアーカーテンの前方を、前記ショーケース本体の上側の前端部に設けた巻取式のナイトカバーを下降させて覆い得るようにしたオープンショーケースにおいて、
前記ショーケース本体における下側の前上部に形成された冷気吸込口の上方に、前記ナイトカバーの下端に設けられたウエイトバーの少なくとも左右２箇所の下面が当接することにより、該ウエイトバーを前記冷気吸込口の前端部上方まで誘導する前下方に傾斜するガイド部材を設けたことを特徴とするオープンショーケース。
【請求項２】
ガイド部材を、ワイヤにより形成したことを特徴とする請求項１に記載のオープンショーケース。
【請求項３】
ワイヤを、平面視前向コ字状に折曲したことを特徴とする請求項２に記載のオープンショーケース。
【請求項４】
ウエイトバーをガイド部材の前端部で停止させるストッパを設けたことを特徴とする請求項１ないし３のいずれかに記載のオープンショーケース。
【請求項５】
ガイド部材の前端を、ショーケース本体の下側の前上部に形成された手摺り部における上端より下方の後面に当接または固定することにより、手摺り部の後面をストッパとしたことを特徴とする請求項４に記載のオープンショーケース。
【請求項６】
手摺り部の後面に、ウエイトバーの前半部が入り込む、前向きの凹入部を設けたことを特徴とする請求項５に記載のオープンショーケース。
【請求項７】
巻取式のナイトカバーを、自動的に昇降する電動式のものとしたことを特徴とする請求項１ないし６のいずれかに記載のオープンショーケース。
【発明の詳細な説明】
【技術分野】
【０００１】
本発明は、店舗が閉店された夜間等において、冷蔵室の前面をナイトカバーにより覆い得るようにしたオープンショーケースに関する。
【背景技術】
【０００２】
このようなナイトカバーを有するオープンショーケースは、例えば特許文献１〜３に記載されているものがある。
【０００３】
【特許文献１】特許第４５９９５９号公報
【特許文献２】特許第２９９８４０６号公報
【特許文献３】特開平６ー１１２４５号公報
【発明の開示】
【発明が解決しようとする課題】
【０００４】
上記特許文献１〜３に記載されているオープンショーケースにおいては、いずれも、ショーケース本体の上部側の前端部に設けた巻取式のナイトカバーを下降させて使用状態としたり、不使用時に上昇させたりする際に、ナイトカバーの下端に設けた係止具を、その都度ショーケース本体の下側の前上部に設けた係止部に係止したり、係止部より外したりしなければならないため、オープンショーケースが複数ある場合にその作業が面倒であり、店員への負担が大きくなるという問題がある。
【０００５】
また、上記従来のオープンショーケースでは、ナイトカバーの昇降を自動的に行いうる電動式のものの使用には不向きであった。すなわち、電動式のナイトカバーを使用する際には、ナイトカバーの下端が最下限位置まで下降した際に、予め定めた位置までガイドして停止させる手段が必要となるからである。
【０００６】
本発明は、上記問題点を解決するためになされたもので、下降させたナイトカバーの下端を自動的に定位置まで誘導することにより、その係止作業を省略し、省力化が図れるようにしたオープンショーケースを提供することを目的としている。
【課題を解決するための手段】
【０００７】
上記課題を解決するために、本発明の請求項１に記載のオープンショーケースは、
ショーケース本体内部の前方に開放された冷蔵室の前面に、上方から下方に向かう冷気のエアーカーテンを形成することで前記冷蔵室を保冷するとともに、このエアーカーテンの前方を、前記ショーケース本体の上側の前端部に設けた巻取式のナイトカバーを下降させて覆い得るようにしたオープンショーケースにおいて、
前記ショーケース本体における下側の前上部に形成された冷気吸込口の上方に、前記ナイトカバーの下端に設けられたウエイトバーの少なくとも左右２箇所の下面が当接することにより、該ウエイトバーを前記冷気吸込口の前端部上方まで誘導する前下方に傾斜するガイド部材を設けたことを特徴としている。
この特徴によれば、ナイトカバーを下降させると、その下端のウエイトバーが、ガイド部材により自動的に冷気吸込口の前端部上方まで誘導されるので、従来のように、係止具をその都度係止部に係止させたり、係止部より外したりする作業が不要となり、オープンショーケースが複数ある場合の省力化が図れ、店員への負担が軽減される。
【０００８】
本発明の請求項２に記載のオープンショーケースは、請求項１に記載のオープンショーケースであって、
ガイド部材を、ワイヤにより形成したことを特徴としている。
この特徴によれば、ウエイトバーとガイド部材との接触抵抗が小さくなるので、ウエイトバーを確実に冷気吸込口の前端部上方まで誘導することができる。
また、ガイド部材の左右寸法が極めて小さいので、顧客が冷蔵室内の商品を取り出す際に、ガイド部材が邪魔になることがない。
【０００９】
本発明の請求項３に記載のオープンショーケースは、請求項２に記載のオープンショーケースであって、
ワイヤを、平面視前向コ字状に折曲したことを特徴としている。
この特徴によれば、ウエイトバーの両側を安定的に支持して冷気吸込口の前端部上方まで誘導することができる。
【００１０】
本発明の請求項４に記載のオープンショーケースは、請求項１ないし３のいずれかに記載のオープンショーケースであって、
ウエイトバーをガイド部材の前端部で停止させるストッパを設けたことを特徴としている。
この特徴によれば、ストッパにより、ウエイトバーが前方に移動するのが拘束されるので、ナイトカバーがエアーカーテンの冷気に煽られて前方に揺れ動くのを防止することができる。
【００１１】
本発明の請求項５に記載のオープンショーケースは、請求項４に記載のオープンショーケースであって、
ガイド部材の前端を、ショーケース本体の下側の前上部に形成された手摺り部における上端より下方の後面に当接または固定することにより、手摺り部の後面をストッパとしたことを特徴としている。
この特徴によれば、手摺り部の後面をストッパとしているので、別途ストッパ部材を設ける必要がなく、部品点数を削減することができるだけでなく、ストッパが商品の取出しの妨げになることもない。
また、ウエイトバー全体を手摺り部の後面に当接させて、安定的に停止させることができる。
【００１２】
本発明の請求項６に記載のオープンショーケースは、請求項５に記載のオープンショーケースであって、
手摺り部の後面に、ウエイトバーの前半部が入り込む、前向きの凹入部を設けたことを特徴としている。
この特徴によれば、ナイトカバーがエアーカーテンの冷気に煽られても、ウエイトバーが上方に浮き上がる恐れが小さくなる。
【００１３】
本発明の請求項７に記載のオープンショーケースは、請求項１ないし６のいずれかに記載のオープンショーケースであって、
巻取式のナイトカバーを、自動的に昇降する電動式のものとしたことを特徴としている。
この特徴によれば、ナイトカバーの昇降から、ウエイトバーの冷気吸込口の前端部上方までの誘導を自動的に行うことができる。
【発明を実施するための最良の形態】
【００１４】
以下、本発明の実施形態を、図面に基づいて説明する。
【００１５】
図１は、本発明のオープンショーケースの中央縦断側面図、図２は、同じく、下側の前上部の拡大断面図である。オープンショーケース１は、前面(図の左方)が開放された側面視ほぼコ字状をなす断熱構造の外箱２と、その内側の、同じく前面が開放されたほぼコ字状の内箱３とからなるショーケース本体４を備え、その内部空間は、前面が開放された冷蔵室５となっている。内箱３の背面板３ａには、上下複数段の陳列棚６が取り付けられている。
【００１６】
外箱２と内箱３との間には、通風路７が形成され、この通風路７の垂直部と底部には、それぞれ冷却装置８と送風機９が設けられている。ショーケース本体４の上側の前端部には、通風路７と連通する冷気吹出口１０、１０が下向きに形成されている。ショーケース本体４の下側の前上部における外箱２と内箱３との間には、カバー板１１、１１が設けられ、これらのカバー板１１には、複数の冷気吸込口１２が形成されている。
【００１７】
送風機９を作動させると、冷却装置８により冷却された冷気は、矢印のように、通風路７内を上方に向かって流れ、冷気吹出口１０より、下方の冷気吸込口１２に向かって吹き出される。これにより、ショーケース本体４における冷蔵室５の前面に、冷気のエアーカーテン１３が形成される。
【００１８】
ショーケース本体４の冷気吹出口１０よりも前方の上端部には、冷蔵室５の前面開口部の左右幅とほぼ等しい左右寸法の電動式のナイトカバー１４が、カバー板１１の上方に位置するようにして取り付けられている。なお、ナイトカバー１４には、巻取軸をモータにより正逆回転させることにより、カバー材１４ａを自動的に昇降させる公知のロールスクリーンを用いている。カバー材１４ａの下端には、左右方向を向くウエイトバー１５が取り付けられている。
【００１９】
図２及び図３の斜視図に示すように、外箱２の前上端に取り付けられた左右方向を向く手摺り部１６の後面板１７の左右両側部には、左右１対のガイド体１８(左右同一構造に付き、一方のみ図示する)が取り付けられている。ガイド体１８は、左右方向を向く垂直な取付板１９と、その後面の中央部に前端部の内向折曲部２０ａ、２０ａが溶接された平面視前向きコ字状のワイヤよりなるガイド部材２０とからなり、ガイド部材２０は、前下方に傾斜させてある。
【００２０】
取付板１９の両側部の通孔２１、２１に挿入した止めねじ２２を、後面板１７の雌ねじ孔２３、２３に螺合することにより、ガイド体１８は、ガイド部材２０の前端が手摺り部１６の上端よりも下方に位置するように、かつ前後のカバー板１１の上方に位置するようにして、後面板１７の後面に取り付けられている。
【００２１】
手摺り部１６における後面板１７の上端には、後ろ下方に傾斜するとともに、下端がガイド部材２０の前端の直上に位置するストッパ２４が、左右方向に全長に亘って、かつ実質的に手摺り部１６と一体をなすように連設されている。
【００２２】
店舗が閉店された夜間等において、冷蔵室５の前面をナイトカバー１４により覆うには、図示しないリモコン等を操作することにより、ナイトカバー１４のモータを作動させ、カバー材１４ａを下降させると、その下端のウエイトバー１５が、図２の２点鎖線で示すように、ガイド部材２０の後部寄りの上面に当接する。すると、ウエイトバー１５は、ガイド部材２０が前下方に傾斜しているので、それに沿って前方に摺動し、図２の実線で示すように、前側のカバー板１１の前端まで誘導され、ストッパ２４に当接して停止する。
【００２３】
これにより、冷蔵室５におけるエアーカーテン１３形成部の前方がカバー材１４ａにより覆われるとともに、ウエイトバー１５は冷気吸込口１２よりも前側に誘導されるので、冷気吸込口１２がナイトカバー１４よりも前側に露呈されることがない。なお、カバー材１４ａの最大下降長さは、例えばモータの回転数を制御したり、ウエイトバー１５の停止位置をセンサーにより検知するなどして、適宜に設定される。この際、ウエイトバー１５が自由に前方に摺動しうるように、カバー材１４ａの上下の長さに適度に余裕を持たせた状態で自動的に停止するよう設定するのがよい。
【００２４】
このように、電動式のナイトカバー１４を作動させて、ウエイトバー１５を下降させ、これをガイド部材２０により前方に誘導してストッパ２４に当接させて停止させるようにすると、冷蔵室５の前面を自動的に覆うことができるので、従来のように、カバー材１４ａの下端の係止具を、その都度係止部に係止させたり、係止部より外したりする作業が不要となり、省力化が図れる。
【００２５】
また、ウエイトバー１５は、ストッパ２４に当接して前方に移動するのが拘束されているので、カバー材１４ａがエアーカーテン１３の冷気に煽られて前方に揺れ動くのを防止することができる。
【００２６】
図４は、ガイド部材の変形例を示すもので、この実施形態のガイド部材２５は、一本のワイヤよりなり、前下方に傾斜する傾斜部２５ａの後端に、上下方向を向く取付部２５ｂを連設したものよりなっている。内箱３における前面板２６の側端部の後面に、取付部２５ｂの下端部を溶接することにより、傾斜部２５ａが前後のカバー板１１を跨ぐように、かつ前端が手摺り部１６の後面板１７の下端部の後面に当接または近接するようにして、取り付けられている。
【００２７】
このようなガイド部材２５を用いても、ナイトカバー１４のウエイトバー１５が、傾斜部２５ａに誘導されて、ストッパ２４と当接するまで前方に移動するので、上記と同様、冷蔵室５の前面を自動的に覆うことができる。
【００２８】
図５は、手摺り部１６の後面のストッパ部の変形例を示すもので、後面板１７に、後向きに突出するとともに、下面が前下方に傾斜するストッパ２７を設け、ガイド部材２５の傾斜部２５ａに誘導されて前方に移動されてきたウエイトバー１５の前半部が、ストッパ２７の下方に形成された前方を向く凹入部２８に入り込むようにしたものである。このようにすると、カバー材１４ａがエアーカーテン１３の冷気により煽られても、ウエイトバー１５が浮き上がる恐れを小さくすることができる。なお、このような形状のストッパ２７を、図１〜図３に示す実施形態にも用いてもよいことは勿論である。
【００２９】
以上、本発明の実施例を図面により説明してきたが、具体的な構成はこれら実施例に限られるものではなく、本発明の要旨を逸脱しない範囲における変更加があっても本発明に含まれる。
【００３０】
例えば、上記実施形態においては、ガイド部材１８、２５をワイヤよりなるものとしたが、例えば摩擦抵抗の小さな合成樹脂製の板材等により形成してもよい。
【００３１】
また、複数の冷気吸込口１２が形成されているカバー板１１の上面を前下方に傾斜させることで、該カバー板１１自体をガイド部材としてもよい。
【００３２】
上記実施形態では、手摺り部１６の後面板１７にストッパ２４を設けたが、手摺り部１６の後面自体をストッパとしてもよく、また、ガイド部材１８、２５の前端部を起立させるなどして、それらにストッパを一体的に形成してもよい。
【００３３】
電動式のナイトカバー１４の代わりに、引出し長さを自由に手動で調整でき、かつ任意の長さで巻取りをロックしうるようにした巻取式のナイトカバーを使用してもよい。
【図面の簡単な説明】
【００３４】
【図１】本発明のオープンショーケースの中央縦断側面図である。
【図２】同じく、オープンショーケースの下側の前上部の拡大断面図である。
【図３】同じく、下側の前上部の拡大斜視図である。
【図４】ガイド部材の変形例を示す拡大断面図である。
【図５】ストッパの変形例を示す拡大断面図である。
【符号の説明】
【００３５】
１    オープンショーケース
４    ショーケース本体
５    冷蔵室
６    陳列棚
１０  冷気吹出口
１２  冷気吸込口
１３  エアーカーテン
１４  ナイトカバー
１４ａカバー材
１５  ウエイトバー
１６  手摺り部
１８  ガイド体
１９  取付板
２０  ガイド部材
２０ａ内向折曲部
２４  ストッパ
２５  ガイド部材
２５ａ傾斜部
２７  ストッパ
２８  凹入部
【図１】
2009195281.tif 000003
【図２】
2009195281.tif 000004
【図３】
2009195281.tif 000005
【図４】
2009195281.tif 000006
【図５】
2009195281.tif 000007